(57)【要約】【課題】  執筆者から出版社、印刷所までを一貫して扱うシステムを構築する。【解決手段】  出版社端末１と執筆者端末２と印刷所端末３とサーバ４とがネットワーク５を通じて互いに接続される。そして出版の企画が立案されると、まず出版社端末１からサーバ４に対して書籍情報４１の登録が行われる。さらに印刷会社では、スタイルシート及びテンプレート３１の作成が行われ、印刷所端末３を通じてサーバ４に保存される。そして、書籍情報４１とスタイルシート及びテンプレート３１が執筆者端末２で取得されて原稿が執筆される。さらにサーバ４では、執筆者端末２からの原稿の文書情報２４と添付ファイル２７と写真や図版等のイメージファイル３３とスタイルシート及びテンプレート３１によって、組版イメージ４２を作成し、作成した組版イメージ４２を例えばＰＤＦファイル４４に変換して、出版社端末１及び執筆者端末２に送信する。【選択図】        図１
2006031120.tif 000002
【特許請求の範囲】
【請求項１】
出版社端末と執筆者端末と印刷所端末とサーバとがネットワークを通じて接続された出版支援システムであって、
前記サーバは、
前記出版社端末及び／または印刷所端末で生成されるスタイルシート及びテンプレートを保存すると共に、保存された前記スタイルシート及びテンプレートを前記執筆者端末に提示する手段と、
前記執筆者端末から受信される文書情報及び前記印刷所端末から受信される画像情報を保存すると共に、保存された前記文書情報及び画像情報を用いて前記スタイルシート及びテンプレートに基づく組版イメージを生成する手段と、
生成された前記組版イメージを前記出版社端末と執筆者端末と印刷所端末とに送信する手段と
を有することを特徴とする出版支援システム。
【請求項２】
請求項１記載の出版支援システムにおいて、
前記執筆者端末には、前記文書情報を入力する手段と、入力された前記文書情報を前記サーバに送信する手段と、受信した前記組版イメージを出力する手段とが設けられ、
出力された前記組版イメージに基づいて修正された前記文書情報を前記サーバに再度送信する
ことを特徴とする出版支援システム。
【請求項３】
請求項１記載の出版支援システムにおいて、
前記執筆者端末には、所定の外字データベースを検索する手段と、前記外字データベースを検索して得た外字情報を前記サーバに送信する手段とが設けられ、
前記印刷所端末には、前記サーバの外字情報から必要な外字のフォントを生成する手段と、生成された前記フォントを前記サーバに送信して生成される前記組版イメージに貼り付ける手段とが設けられる
ことを特徴とする出版支援システム。
【請求項４】
請求項１記載の出版支援システムにおいて、
前記執筆者端末には、数式に相当する任意の文字列を編集する手段と、編集された前記任意の文字列の情報を前記サーバに送信する手段とが設けられ、
前記印刷所端末には、前記サーバが受信した前記任意の文字列の情報を必要に応じて修正する手段が設けられ、
前記サーバには、前記任意の文字列の情報を前記組版イメージに変換する手段が設けられる
ことを特徴とする出版支援システム。
【請求項５】
請求項１〜４のいずれかに記載の出版支援システムにおいて、
前記出版社端末には、所定の書籍情報及びパスワードを設定する手段と、設定された前記書籍情報及びパスワードを前記サーバに送信する手段とが設けられ、
前記出版社端末と執筆者端末と印刷所端末には、それぞれに前記パスワードの入力手段が設けられて、前記パスワードが一致したときのみ前記サーバへのアクセスが可能とされる
ことを特徴とする出版支援システム。
【請求項６】
請求項１〜４のいずれかに記載の出版支援システムにおいて、
前記執筆者端末には、執筆完了の報告の入力手段と、前記執筆完了の報告を前記サーバに送信する手段とが設けられ、
前記サーバは、前記執筆完了の報告が前記執筆者端末から受信されたときに、その報告を前記出版社端末と印刷所端末に転送する手段を有する
ことを特徴とする出版支援システム。
【請求項７】
出版社端末と執筆者端末と印刷所端末とサーバとがネットワークを通じて接続されたシステムに適用される出版支援プログラムであって、
前記サーバに設けられる前記出版社端末及び／または印刷所端末で生成されるスタイルシート及びテンプレートを保存すると共に、保存された前記スタイルシート及びテンプレートを前記執筆者端末に提示する手段と、
前記執筆者端末から受信される文書情報及び前記印刷所端末から受信される画像情報を保存すると共に、保存された前記文書情報及び画像情報を用いて前記スタイルシート及びテンプレートに基づく組版イメージを生成する手段と、
生成された前記組版イメージを前記出版社端末と執筆者端末と印刷所端末とに送信する手段の各機能を実現するための出版支援プログラム。
【請求項８】
請求項７記載の出版支援プログラムにおいて、
前記執筆者端末に設けられる前記文書情報を入力する手段と、入力された前記文書情報を前記サーバに送信する手段と、受信した前記組版イメージを出力する手段と、出力された前記組版イメージに基づいて修正された前記文書情報を前記サーバに再度送信する手段の機能を実現するための出版支援プログラム。
【請求項９】
請求項７記載の出版支援プログラムにおいて、
前記執筆者端末に設けられる所定の外字データベースを検索する手段と、前記外字データベースを検索して得た外字情報を前記サーバに送信する手段と、
前記印刷所端末に設けられる前記サーバの外字情報から必要な外字のフォントを生成する手段と、生成された前記フォントを前記サーバに送信して生成される前記組版イメージに貼り付ける手段の機能を実現するための出版支援プログラム。
【請求項１０】
請求項７記載の出版支援プログラムにおいて、
前記執筆者端末に設けられる数式に相当する任意の文字列を編集する手段と、編集された前記任意の文字列の情報を前記サーバに送信する手段と、
前記印刷所端末に設けられる前記サーバが受信した前記任意の文字列の情報を必要に応じて修正する手段と、
前記サーバに設けられる前記任意の文字列の情報を前記組版イメージに変換する手段の機能を実現するための出版支援プログラム。
【請求項１１】
請求項７〜１０のいずれかに記載の出版支援プログラムにおいて、
前記出版社端末に設けられる所定の書籍情報及びパスワードを設定する手段と、設定された前記書籍情報及びパスワードを前記サーバに送信する手段と、
前記出版社端末と執筆者端末と印刷所端末のそれぞれに設けられる前記パスワードの入力手段と、
前記パスワードが一致したときのみ前記サーバへのアクセスが可能とさせる手段の機能を実現するための出版支援プログラム。
【請求項１２】
請求項７〜１０のいずれかに記載の出版支援プログラムにおいて、
前記執筆者端末に設けられる執筆完了の報告の入力手段と、前記執筆完了の報告を前記サーバに送信する手段と、
前記サーバに設けられる前記執筆完了の報告が前記執筆者端末から受信されたときに、その報告を前記出版社端末と印刷所端末に転送する手段の機能を実現するための出版支援プログラム。
【請求項１３】
出版社端末と執筆者端末と印刷所端末とがネットワークを通じて接続される出版支援サーバであって、
前記出版社端末及び／または印刷所端末で生成されるスタイルシート及びテンプレートを保存すると共に、保存された前記スタイルシート及びテンプレートを前記執筆者端末に提示する手段と、
前記執筆者端末から受信される文書情報及び前記印刷所端末から受信される画像情報を保存すると共に、保存された前記文書情報及び画像情報を用いて前記スタイルシート及びテンプレートに基づく組版イメージを生成する手段と、
生成された前記組版イメージを前記出版社端末と執筆者端末と印刷所端末とに送信する手段と
を有することを特徴とする出版支援サーバ。
【請求項１４】
請求項１３記載の出版支援サーバにおいて、
前記文書情報を入力し、入力された前記文書情報を送信し、受信した前記組版イメージを出力し、出力された前記組版イメージに基づいて修正された前記文書情報を再度送信するプログラムを前記執筆者端末に供給する手段を有する
ことを特徴とする出版支援サーバ。
【請求項１５】
請求項１３記載の出版支援サーバにおいて、
所定の外字データベースを検索し、前記外字データベースを検索して得た外字情報を送信するプログラムを前記執筆者端末に供給する手段と、
前記外字情報から必要な外字のフォントを生成し、生成された前記フォントを送信するプログラムを前記印刷所端末に供給する手段と、
受信された前記フォントを前記組版イメージに貼り付ける手段と
を有することを特徴とする出版支援サーバ。
【請求項１６】
請求項１３記載の出版支援サーバにおいて、
数式に相当する任意の文字列を編集し、編集された前記任意の文字列の情報を送信するプログラムを前記執筆者端末に供給する手段と、
受信した前記任意の文字列の情報を必要に応じて修正するプログラムを前記印刷所端末に供給する手段と、
前記任意の文字列の情報を前記組版イメージに変換する手段と
を有することを特徴とする出版支援サーバ。
【請求項１７】
請求項１３〜１６のいずれかに記載の出版支援サーバにおいて、
所定の書籍情報及びパスワードを設定し、設定された前記書籍情報及びパスワードを送信するプログラムを前記出版社端末に供給する手段と、
前記パスワードの入力手段を設けるプログラムを、前記出版社端末と執筆者端末と印刷所端末のそれぞれに供給する手段とを有し、
前記パスワードが一致したときのみアクセスが可能とされる
ことを特徴とする出版支援サーバ。
【請求項１８】
請求項１３〜１６のいずれかに記載の出版支援サーバにおいて、
執筆完了の報告の入力手段を設けると共に前記執筆完了の報告を送信するプログラムを前記執筆者端末に供給する手段と、
前記執筆完了の報告が前記執筆者端末から受信されたときに、その報告を前記出版社端末と印刷所端末に転送する手段と
を有することを特徴とする出版支援サーバ。
【発明の詳細な説明】
【技術分野】
【０００１】
本発明は、書籍や、雑誌等の出版に使用して好適な出版支援システム、出版支援プログラム及び出版支援サーバに関する。詳しくは、出版社と執筆者と印刷所とをネットワークで接続して、円滑かつ良好な出版業務を行うことができるようにしたものである。
【背景技術】
【０００２】
従来のネットワークを用いて出版の支援を行うシステムでは、例えば出版社内の編集端末と文書保管用サーバを用いて、電子化された書籍のデータを管理保存することが提案されている（例えば、特許文献１参照。）。
【０００３】
すなわち、特許文献１に記載されている文書管理の方法は、出版社内の編集端末と文書保管用サーバをネットワークで接続して、そのサーバ上で編集や校正などの作業を行うことができるようにし、さらに電子化された書籍のデータを、文書保管用サーバで管理保存することができるようにするものである。
【０００４】
一般に、書籍や、雑誌等の出版に当っては、例えば出版社で企画を立案し、その企画に合った執筆者に原稿を依頼する。そして、執筆された原稿と図版等を印刷所に入稿し、印刷所では入稿された原稿と図版等に従って組版を行い、いわゆるゲラ刷りが作成される。さらにこのゲラ刷りに対して、出版者と執筆者による校正が行われ、この校正に基づいて組版が修正され、修正された組版を用いて出版のための印刷が行われる。
【０００５】
このような出版の手順において、すでに原稿の執筆では、パーソナルコンピュータ等を使用して、原稿を電子データで入稿することが行われている。また、上述したように、上記の特許文献１には、出版社内の編集端末と文書保管用サーバをネットワークで接続して、そのサーバ上で編集や校正などの作業を行うことが開示されている。このように、出版業務の個々の部分においては、すでに電子化／ネットワーク化は進展しているといえる。
【特許文献１】特開２００４−１２６９９９号公報
【発明の開示】
【発明が解決しようとする課題】
【０００６】
しかしながら、出版業務を、執筆者から出版社、印刷所まで一貫して扱うシステムは、過去において構築された例はない。従って、従来の技術では、執筆者、出版者、印刷所の間で電子データのやり取りをする場合にも、それぞれの対応する部署でのデータ形式に合わせて変換を行うため、各部署でのデータ変換の手数が必要となり、さらに変換時にデータの誤り等が生じる恐れもあった。
【０００７】
また、執筆者が原稿を執筆する際に、日本工業規格（ＪＩＳ）コードに含まれない外字を使用した場合や、いわゆる数式や、化学式、楽譜等を含む数式に相当する文字列を用いた場合には、それらの外字や数式に相当する文字列のデータ変換は極めて困難である。このため、これらの外字や数式に相当する文字列は、従来は図版形式で入稿されていたが、この図版形式の入稿では、組版がされるまで、それが正しく表現されているか否かを確認できないという問題があった。
【０００８】
この発明はこのような問題点に鑑みて成されたものであって、本発明の目的は、執筆者から出版社、印刷所までを一貫して扱うシステムを構築すると共に、執筆者が原稿を執筆する際に使用する外字や数式に相当する文字列に対する処理を良好にし、出版業務が円滑に行われるようにするものである。
【課題を解決するための手段】
【０００９】
上記課題を解決し、本発明の目的を達成するため、請求項１に記載された発明は、出版社端末と執筆者端末と印刷所端末とサーバとがネットワークを通じて接続された出版支援システムであって、前記サーバは、前記出版社端末及び／または印刷所端末で生成されるスタイルシート及びテンプレートを保存すると共に、保存された前記スタイルシート及びテンプレートを前記執筆者端末に提示する手段と、前記執筆者端末から受信される文書情報及び前記印刷所端末から受信される画像情報を保存すると共に、保存された前記文書情報及び画像情報を用いて前記スタイルシート及びテンプレートに基づく組版イメージを生成する手段と、生成された前記組版イメージを前記出版社端末と執筆者端末と印刷所端末とに送信する手段とを有することを特徴とする出版支援システムである。
【００１０】
また、請求項２の記載による出版支援システムは、前記執筆者端末には、前記文書情報を入力する手段と、入力された前記文書情報を前記サーバに送信する手段と、受信した前記組版イメージを出力する手段とが設けられ、出力された前記組版イメージに基づいて修正された前記文書情報を前記サーバに再度送信するものである。
【００１１】
請求項３の記載による出版支援システムは、前記執筆者端末には、所定の外字データベースを検索する手段と、前記外字データベースを検索して得た外字情報を前記サーバに送信する手段とが設けられ、前記印刷所端末には、前記サーバの外字情報から必要な外字のフォントを生成する手段と、生成された前記フォントを前記サーバに送信して生成される前記組版イメージに貼り付ける手段とが設けられるものである。
【００１２】
請求項４の記載による出版支援システムは、前記執筆者端末には、数式に相当する任意の文字列を編集する手段と、編集された前記任意の文字列の情報を前記サーバに送信する手段とが設けられ、前記印刷所端末には、前記サーバが受信した前記任意の文字列の情報を必要に応じて修正する手段が設けられ、前記サーバには、前記任意の文字列の情報を前記組版イメージに変換する手段が設けられるものである。
【００１３】
請求項５の記載による出版支援システムは、前記出版社端末には、所定の書籍情報及びパスワードを設定する手段と、設定された前記書籍情報及びパスワードを前記サーバに送信する手段とが設けられ、前記出版社端末と執筆者端末と印刷所端末には、それぞれに前記パスワードの入力手段が設けられて、前記パスワードが一致したときのみ前記サーバへのアクセスが可能とされるものである。
【００１４】
請求項６の記載による出版支援システムは、前記執筆者端末には、執筆完了の報告の入力手段と、前記執筆完了の報告を前記サーバに送信する手段とが設けられ、前記サーバは、前記執筆完了の報告が前記執筆者端末から受信されたときに、その報告を前記出版社端末と印刷所端末に転送する手段を有するものである。
【００１５】
さらに本発明の目的を達成するため、請求項７に記載された発明は、出版社端末と執筆者端末と印刷所端末とサーバとがネットワークを通じて接続されたシステムに適用される出版支援プログラムであって、前記サーバに設けられる前記出版社端末及び／または印刷所端末で生成されるスタイルシート及びテンプレートを保存すると共に、保存された前記スタイルシート及びテンプレートを前記執筆者端末に提示する手段と、前記執筆者端末から受信される文書情報及び前記印刷所端末から受信される画像情報を保存すると共に、保存された前記文書情報及び画像情報を用いて前記スタイルシート及びテンプレートに基づく組版イメージを生成する手段と、生成された前記組版イメージを前記出版社端末と執筆者端末と印刷所端末とに送信する手段の機能を実現するための出版支援プログラムである。
【００１６】
また、請求項８の記載による出版支援プログラムは、前記執筆者端末に設けられる前記文書情報を入力する手段と、入力された前記文書情報を前記サーバに送信する手段と、受信した前記組版イメージを出力する手段と、出力された前記組版イメージに基づいて修正された前記文書情報を前記サーバに再度送信する手段の機能を実現するためのものである。
【００１７】
請求項９の記載による出版支援プログラムは、前記執筆者端末に設けられる所定の外字データベースを検索する手段と、前記外字データベースを検索して得た外字情報を前記サーバに送信する手段と、前記印刷所端末に設けられる前記サーバの外字情報から必要な外字のフォントを生成する手段と、生成された前記フォントを前記サーバに送信して生成される前記組版イメージに貼り付ける手段の機能を実現するためのものである。
【００１８】
請求項１０の記載による出版支援プログラムは、前記執筆者端末に設けられる数式に相当する任意の文字列を編集する手段と、編集された前記任意の文字列の情報を前記サーバに送信する手段と、前記印刷所端末に設けられる前記サーバが受信した前記任意の文字列の情報を必要に応じて修正する手段と、前記サーバに設けられる前記任意の文字列の情報を前記組版イメージに変換する手段の機能を実現するためのものである。
【００１９】
請求項１１の記載による出版支援プログラムは、前記出版社端末に設けられる所定の書籍情報及びパスワードを設定する手段と、設定された前記書籍情報及びパスワードを前記サーバに送信する手段と、前記出版社端末と執筆者端末と印刷所端末のそれぞれに設けられる前記パスワードの入力手段と、前記パスワードが一致したときのみ前記サーバへのアクセスが可能とさせる手段の機能を実現するためのものである。
【００２０】
請求項１２の記載による出版支援プログラムは、前記執筆者端末に設けられる執筆完了の報告の入力手段と、前記執筆完了の報告を前記サーバに送信する手段と、前記サーバに設けられる前記執筆完了の報告が前記執筆者端末から受信されたときに、その報告を前記出版社端末と印刷所端末に転送する手段の機能を実現するためのものである。
【００２１】
さらに本発明の目的を達成するため、請求項１３に記載された発明は、出版社端末と執筆者端末と印刷所端末とがネットワークを通じて接続される出版支援サーバであって、前記出版社端末及び／または印刷所端末で生成されるスタイルシート及びテンプレートを保存すると共に、保存された前記スタイルシート及びテンプレートを前記執筆者端末に提示する手段と、前記執筆者端末から受信される文書情報及び前記印刷所端末から受信される画像情報を保存すると共に、保存された前記文書情報及び画像情報を用いて前記スタイルシート及びテンプレートに基づく組版イメージを生成する手段と、生成された前記組版イメージを前記出版社端末と執筆者端末と印刷所端末とに送信する手段とを有することを特徴とする出版支援サーバである。
【００２２】
また、請求項１４の記載による出版支援サーバは、前記文書情報を入力し、入力された前記文書情報を送信し、受信した前記組版イメージを出力し、出力された前記組版イメージに基づいて修正された前記文書情報を再度送信するプログラムを前記執筆者端末に供給する手段を有するものである。
【００２３】
請求項１５の記載による出版支援サーバは、所定の外字データベースを検索し、前記外字データベースを検索して得た外字情報を送信するプログラムを前記執筆者端末に供給する手段と、前記外字情報から必要な外字のフォントを生成し、生成された前記フォントを送信するプログラムを前記印刷所端末に供給する手段と、受信された前記フォントを前記組版イメージに貼り付ける手段とを有するものである。
【００２４】
請求項１６の記載による出版支援サーバは、数式に相当する任意の文字列を編集し、編集された前記任意の文字列の情報を送信するプログラムを前記執筆者端末に供給する手段と、受信した前記任意の文字列の情報を必要に応じて修正するプログラムを前記印刷所端末に供給する手段と、前記任意の文字列の情報を前記組版イメージに変換する手段とを有するものである。
【００２５】
請求項１７の記載による出版支援サーバは、所定の書籍情報及びパスワードを設定し、設定された前記書籍情報及びパスワードを送信するプログラムを前記出版社端末に供給する手段と、前記パスワードの入力手段を設けるプログラムを、前記出版社端末と執筆者端末と印刷所端末のそれぞれに供給する手段とを有し、前記パスワードが一致したときのみアクセスが可能とされるものである。
【００２６】
請求項１８の記載による出版支援サーバは、執筆完了の報告の入力手段を設けると共に前記執筆完了の報告を送信するプログラムを前記執筆者端末に供給する手段と、前記執筆完了の報告が前記執筆者端末から受信されたときに、その報告を前記出版社端末と印刷所端末に転送する手段とを有するものである。
【発明の効果】
【００２７】
以上述べたように、本発明によれば、執筆者から出版社、印刷所までを一貫して扱うシステムを構築できると共に、執筆者が原稿を執筆する際に使用する外字や数式に相当する文字列に対する処理を良好にし、出版業務が円滑に行われるようにすることができる。
【発明を実施するための最良の形態】
【００２８】
以下、図面を参照して本発明を説明するに、図１は本発明による出版支援システム、出版支援プログラム及び出版支援サーバを適用したコンピュータシステムの一実施形態を示す構成図である。
【００２９】
図１において、出版社端末１と、執筆者端末２と、印刷所端末３と、サーバ４とが、ネットワーク５を通じて互いに接続されて、コンピュータシステムが構築されている。ここで、出版社端末１には、例えば出版業務において多く利用されているＸＭＬ（eXtensible Mark-up Language）による出版編集システム１１が設けられる。なお本発明は、例えばこのＸＭＬシステムを標準として、構築されるものである。
【００３０】
そして出版の企画が立案されると、まず出版社端末１から、サーバ４に対して書籍情報４１の登録が行われる。ここで登録される項目には、出版社名、編集者名、書籍名、ＩＳＢＮ（International Standard Book Number）コード、著者名、パスワード、書籍本文の構成、さらにその他として、ページ数、部数、配本予定日などが含まれる。また、この登録により、サーバ４上での自社管理番号が発生され、以後の管理はこの自社管理番号とパスワードによって行われる。
【００３１】
また、この登録に並行して著者への原稿依頼や、印刷会社に対してスタイルシート及びテンプレートの作成の依頼が行われる。なおこれらの依頼は、従来の通信手段によるものでも良いが、ネットワーク５を通じて出版社端末１、執筆者端末２、印刷所端末３間の電子メール等によっても行うことができる。すなわち本発明では、これらの端末がネットワーク５によって接続されているので、このような電子メールも可能となるものである。
【００３２】
さらに印刷会社では、出版社からの依頼に基づいてスタイルシート及びテンプレートの作成が行われ、作成されたスタイルシート及びテンプレート３１は、印刷所端末３を通じてサーバ４に送信され、上述の自社管理番号とパスワードに従って保存される。このようにして、サーバ４上には、所定の書籍情報４１が登録されると共に、その自社管理番号とパスワードに従ってスタイルシート及びテンプレート３１が保存される。
【００３３】
これらの書籍情報４１と、スタイルシート及びテンプレート３１が執筆者端末２で取得される。すなわち執筆者は、上記の原稿依頼を了承すると自社管理番号とパスワードが通知され、これらの自社管理番号とパスワードを用いて、サーバ４上に保存されたスタイルシート及びテンプレート３１を取得することができる。そして取得されたスタイルシート及びテンプレート３１を使って、執筆者端末２での原稿の執筆が行われる。
【００３４】
なお、執筆者端末２での原稿の執筆には、例えばＸＭＬシステムのエディタ２１が用いられる。ここで、原稿の執筆は他のシステムを使っても可能であるが、サーバ４への送信は、指定のエディタを使用して行うものとされる。従って、このような場合には、ＸＭＬシステムのエディタ２１を執筆者端末２に設ける必要があるが、執筆者端末２においては、上記ソフトウェアを、例えばサーバ４からネットワーク５を通じて取得することができる。
【００３５】
さらに執筆者端末２には、原稿の中に日本工業規格（ＪＩＳ）コードに含まれない外字を使用する場合に、ネットワーク５を介して任意の外字データベース６を検索し、必要な外字情報を得るための外字取得用のソフトウェア２２が設けられる。また原稿の中に数式や、化学式、楽譜等を含む数式に相当する文字列を用いる場合に、そのような数式に相当する文字列を作成するための文字列作成用のソフトウェア２３も設けられる。これらのソフトウェアも、サーバ４から取得される。
【００３６】
従ってこれらの外字取得ソフトウェア２２及び文字列作成ソフトウェア２３と、例えばＸＭＬシステムのエディタ２１を用いて、執筆者端末２で原稿の執筆が行われる。そして執筆された原稿は、例えば文書情報２４としてサーバ４に送信登録される。なお、この送信登録を行うためのサーバ４との通信機能のソフトウェア２５が執筆者端末２に設けられる。さらに執筆者端末２には、任意の表作成や図面作成のソフトウェア２６も設けることができる。そしてこのようなソフトウェア２６で作成されたデータは、添付ファイル２７として文書情報２４と共にサーバ４に送信登録される。
【００３７】
さらに出版社では、写真や図版等の入手や、表紙、奥付、広告等の付き物の編集作成が行われ、これらの編集作成された写真や図版等１２は、例えば印刷会社に郵送されてスキャナ３２による加工処理が行われ、例えばイメージファイル３３として、印刷所端末３からサーバ４に登録される。なお、これらの編集作成された写真や図版等が予め電子化されている場合には、出版社端末１から直接サーバ４に登録される場合もある。
【００３８】
またサーバ４では、登録された執筆者端末２からの執筆された原稿の文書情報２４の中に、外字取得ソフトウェア２２で取得された外字情報や、文字列作成ソフトウェア２３で作成された数式に相当する文字列等の有無や、ソフトウェア２６で作成された表や図面等の添付ファイル２７の有無が判断され、これらが有る場合には、印刷所端末３に対して修正の依頼が送信される。これにより印刷所端末３では、外字情報に応じたフォントを作成して張り付ける処理や、数式に相当する文字列等を印刷用に修正する処理や、表や図面等を印刷用に修正する処理が行われる。
【００３９】
そして、これらのサーバ４に登録された執筆者端末２からの執筆された原稿の文書情報２４と、印刷所端末３及び／または出版社端末１からの編集作成された写真や図版等のイメージファイル３３と、上述のスタイルシート及びテンプレート３１によって、組版イメージ４２の作成が行われる。すなわちサーバ４には、このような組版イメージを作成するソフトウェア４３が設けられ、それによって組版イメージ４２の作成が行われる。
【００４０】
さらにサーバ４には、作成された組版イメージ４２を、例えばＰＤＦ（Portable Document Format）ファイル４４に変換するためのＰＤＦ作成ソフトウェア４５が設けられる。そして変換されたＰＤＦファイル４４が、出版社端末１及び執筆者端末２に送信される。従って、執筆者端末２では、ＰＤＦファイル４４によって組版イメージ４２を確認することができ、ここで誤り等を見つけた場合には、文書情報２４の修正により校正することができる。
【００４１】
また、執筆者端末２には、執筆完了の報告をサーバ４に伝えるための入力手段２８が設けられる。この入力手段２８は、例えばＸＭＬシステムのエディタ２１のＢｏｏｋ機能によって行われ、画面上で執筆完了を選択することにより、通信機能のソフトウェア２５を通じて執筆完了の報告がサーバ４に送信される。そして、この執筆完了の報告がサーバ４に送信されると、この執筆完了の報告は、出版社端末１及び印刷所端末３に転送される。
【００４２】
すなわち上述のシステムにおいて、執筆者が執筆者端末２の入力手段２８に対して執筆完了の報告を行うと、その報告が出版社端末１及び印刷所端末３に転送され、出版社及び印刷所はその報告を確認して、出版のための印刷段階へと進むことができる。そしてこの段階では、執筆者による校正は完了しているものと見做されるので、以後は、出版社と印刷所との間の処理で、書籍等の出版を行うことができる。
【００４３】
次に、図２〜図７に示すフローチャートを用いて、本発明の実施の手順について説明する。なお、図２〜図７は、いずれも出版社端末１と執筆者端末２と印刷所端末３とサーバ４の間で、相互に行われる処理の流れを示したものであり、ここには人の手によって行われる処理も含まれている。
【００４４】
まず、図２には全体的な処理の流れを示す。この図２において、ステップＳ１では出版社端末１において企画立案が行われる。この企画立案（ステップＳ１）に従って、ステップＳ２では執筆者端末２に対して原稿執筆依頼が行われる。またステップＳ３で印刷所端末３に対して、スタイルシートとテンプレートの作成が依頼される。そして作成されたスタイルシートとテンプレートは、ステップＳ４、Ｓ５でサーバ４に登録される。
【００４５】
一方、出版社端末１では、ステップＳ６で書籍情報の登録とパスワードの設定が行われ、これらの書籍情報とパスワードが、ステップＳ７でサーバ４に設けられるＡＳＰ（Application Service Provider）プログラムに送信される。そして、ステップＳ８でサーバ４のＸＭＬ書籍情報データベース４１に、必要な書籍情報が登録設定される。なお、上述のスタイルシートとテンプレートの登録は、書籍情報とパスワードの登録設定後でもよい。
【００４６】
さらに、ステップＳ９で執筆者端末２に対してスタイルシートとテンプレートの送信が行われる。ここで執筆者端末２には、例えば文書を作成するＸＭＬエディタ２１等のソフトウェアや、数式に相当する文字列を作成するソフトウェア、化学式を作成するソフトウェア、さらに表や図等を作成するソフトウェア等が設けられ、これらの文字列作成ソフトウェア２３を用いて原稿の執筆が行われる。
【００４７】
なお、これらの文書を作成するソフトウェアや、数式に相当する文字列を作成するソフトウェア、化学式を作成するソフトウェア、表や図等を作成するソフトウェア等は、予め執筆者端末２に装備されているものを用いるか、新たにサーバ４からの送信により装備して用いることができる。そして執筆された原稿は、ステップＳ１０で文書情報と添付ファイルとされてサーバ４に送信される。
【００４８】
また、出版社端末１では、ステップＳ１１で図や写真等が用意され、表紙、奥付、広告等の付き物の編集作成が行われる。この編集作成が電子データで行われた場合には、その電子データは直接サーバ４に送信される。これに対して、編集作成がハードコピーで行われた場合には、ハードコピーが郵送等により印刷所に送付され、ステップＳ１２でスキャン処理等の加工処理が行われて、ステップＳ１３でその成果物がサーバ４に登録される。
【００４９】
そしてサーバ４では、ステップＳ１４で、執筆者端末２からのＸＭＬ文書からＸＳＬＴ（XML Stylesheet Language Transform）ファイルへの変換処理が行われると共に、出版社端末１や印刷所端末３からの成果物と共に格納される。また、これらの格納された文書ファイルや、イメージファイルに対して、ステップＳ１５で手作業による加工処理が行われ、ステップＳ１６で加工処理された成果物がサーバ４に登録される。
【００５０】
さらに、サーバ４のステップＳ１７で、自動組版エンジンが起動されて格納された文書ファイルやイメージファイルから組版イメージが作成され、作成された組版イメージからプレビューの自動作成が行われる。すなわちここでは、格納された数式や図、写真のイメージファイルに対して、パッチ処理で可能な程度の加工処理が行われる。そしてステップＳ１９でＰＤＦプレビューが作成され、ステップＳ２０でサーバ４に格納される。
【００５１】
このようにして作成されたＰＤＦプレビューが、ステップＳ２１でＡＳＰプログラムを通じて出版社端末１、執筆者端末２及び印刷所端末３に送信される。さらに出版社端末１のステップＳ２２、執筆者端末２のステップＳ２３、印刷所端末３のステップＳ２４で、それぞれのブラウザによるプレビューが行われる。そして、執筆者端末２で修正が必要とされた場合には、ステップＳ９に戻って修正が行われる。
【００５２】
以上、図２のフローチャートで説明したように、出版社端末１で企画立案された書籍等の原稿が執筆者に依頼される。また、印刷所端末３で作成されたスタイルシートとテンプレート３１はサーバ４を介して執筆者端末２に送信される。さらにこのスタイルシートとテンプレート３１に沿って執筆された原稿がサーバ４に登録される。そして登録された原稿等から組版イメージ４２が作成され、ＰＤＦファイルでプレビューされて校正が行われる。
【００５３】
さらに、図３には原稿執筆完了後の処理の流れを示す。この図３において、ステップＳ２５で原稿執筆が完了されると、執筆者端末２のステップＳ２６で例えばＸＭＬシステムのエディタ２１のＢｏｏｋ機能を用いて、画面上で執筆完了が選択される。これにより、サーバ４では、ステップＳ２７で執筆完了の報告がＸＭＬデータベースに登録されると共に、その報告が、ステップＳ２８で出版社端末１及び印刷所端末３に転送される。
【００５４】
従って、出版社端末１のステップＳ２９と、印刷所端末３のステップＳ３０でメールにより執筆完了の報告が確認される。また、印刷所端末３のステップＳ３１では入稿、校正の整理伝票が作成される。なお上述のＢｏｏｋ機能では、例えば執筆中の進捗情況の把握にも利用することができる。また、原稿の依頼先が複数の場合には、それぞれの執筆者による報告を各別に行うことができ、残り部分の報告等もメールで行うことができる。
【００５５】
また、図４には執筆完了の報告後の処理の流れを示す。この図４において、ステップＳ３２でＸＳＬＴファイルへの変換処理が行われ、さらに印刷所端末３のステップＳ３３で組版データへの変換が行われる。そしてステップＳ３４でゲラが作成され、ステップＳ３５で出版社での校正が行われる。さらにステップＳ３６でゲラが返送され、ここで修正が有るときは、ステップＳ３７で組版データが修正されてステップＳ３４に戻される。
【００５６】
さらにステップＳ３７で修正された組版データは、サーバ４のステップＳ３８でＰＤＦファイルが作成され、出版社端末１のステップＳ３９でプレビューが行われる。そして、印刷所端末３ステップＳ４０で責了になると、ステップＳ４１で下版伝票が作成され、ステップＳ４２で組版処理及び索引、目次の生成処理が行われる。また、ステップＳ４３で文字修正の反映、修正履歴、差分記録等が行われ、ステップＳ４４で情報が格納される。
【００５７】
これによって、出版社での最終的なゲラ刷りに対する校正と、印刷所での校正に対する修正が行われ、これらのゲラ刷りに対する校正が繰り返されて責了となる。そして責了後は、組版処理及び索引、目次等の生成処理が行われて、出版のための印刷が開始される。すなわち、以上の図２〜図４の手順によって、執筆者から出版社、印刷所までを一貫して扱うシステムを構築することができる。
【００５８】
さらに、図５には日本工業規格（ＪＩＳ）コードに含まれない外字に対する処理の流れを示す。この図５において、執筆者端末２のステップＳ５０で任意の外字データベース、例えば今昔文字鏡が検索され、検索された外字が原稿の文書ファイル中に貼り付けられてサーバ４に送信される。なお、この外字検索及び原稿の文書ファイル中に貼り付けの処理を行うソフトウェアはサーバ４から提供することができる。
【００５９】
そしてサーバ４では、ステップＳ５１で執筆者端末２からの文書ファイルが書籍情報や他の成果物と共に格納される。また、ステップＳ５２で執筆者端末２からのＸＭＬ文書からＸＳＬＴファイルへの変換処理が行われ、さらに執筆者端末２で原稿の文書ファイル中に貼り付けられた外字については、登録済みの任意の外字フォントとの自動コード変換が行われる。ここで外字の登録がない場合は、所定の仮の記号が貼り付けられる。
【００６０】
さらに、サーバ４のステップＳ５３で自動組版エンジンが起動されて格納された文書ファイルやイメージファイルから組版イメージが作成され、ステップＳ５４で作成された組版イメージからＰＤＦプレビューが作成されて、ステップＳ５５でサーバ４に格納される。また、作成されたＰＤＦプレビューが、ステップＳ５６でＡＳＰプログラムを通じて出版社端末１及び執筆者端末２に送信される。
【００６１】
これにより、出版社端末１のステップＳ５７、執筆者端末２のステップＳ５８で、それぞれのブラウザによるプレビューが行われる。また、印刷所端末３のステップＳ５９では、未登録外字のチェックリストが作成され、ステップＳ６０で外字フォントの作成登録が行われる。これによって、ステップＳ５２の登録済み外字が更新されると共に、ステップＳ６１で作成された文字の登録が行われる。
【００６２】
このようにして、日本工業規格（ＪＩＳ）コードに含まれない外字に対する処理が行われる。ここで、予め登録されている外字に関しては直ちに組版イメージに反映されるが、登録のない外字に対しては、最初は所定の仮の記号がプレビューに貼り付けられる。そして、印刷所端末３のステップＳ５９で外字フォントの作成登録が行われると、以後は作成された外字フォントによりプレビューが行われる。
【００６３】
また、図６には、例えば指定の数式等の作成ソフトウェアを用いて作成された数式に相当する文字列の処理の流れを示す。この図６において、執筆者端末２のステップＳ６２で指定の数式等の作成ソフトウェアによる入力操作が行われると、入力された数式等のデータが執筆された原稿の文書ファイルと共にサーバ４に送信される。なお、この指定の数式等の作成ソフトウェアもサーバ４から提供することができる。
【００６４】
そしてサーバ４では、ステップＳ６３で執筆者端末２からの文書ファイルが書籍情報や他の成果物と共に格納される。また、ステップＳ６４で執筆者端末２からのＸＭＬ文書からＸＳＬＴファイルへの変換処理と、未処理の数式等のデータの発見が行われ、発見されたときは、ステップＳ６５でバックグラウンドの数式等処理環境が呼び出されて、ＥＰＳ（Encapsulated PostScript）画像の取得が行われる。
【００６５】
さらに、印刷所端末３のステップＳ６６でサーバ４に格納された数式等のソースデータが呼び出され、ステップＳ６７で手動修正を行うことができる。そして修正されたデータは、ステップＳ６８で再び数式等のソースデータとしてサーバ４に格納するか、ステップＳ６９でＥＰＳ画像を取得してサーバ４に格納する。このようにして、例えば指定の数式等の作成ソフトウェアを用いて作成された数式に相当する文字列に対する処理が行われる。
【００６６】
また、数式に相当する文字列が、上述の指定の数式等の作成ソフトウェア以外の手段で作成された場合の処理は、例えば図７のフローチャートに示すように行われる。ここで図７には、状況に応じた２通りの手順を示す。すなわち、図７のＡは、処理を執筆者負担で行う場合の手順を示したものであり、図７のＢは、処理を印刷所負担で行う場合の手順を示したものである。
【００６７】
そこで図７のＡにおいて、処理を執筆者負担で行う場合には、まず執筆者端末２のステップＳ７０でＸＭＬエディタにより数式や化学式等が入力操作される。次に、ステップＳ７１で任意の数式や化学式の作成のソフトウェアにより数式や化学式等が作成され、ステップＳ７２で手動により一旦ＥＰＳ画像ファイルに変換される。そして変換された画像が、文書ファイルに貼り付け若しくは添付されてサーバ４に送信される。
【００６８】
さらにサーバ４では、ステップＳ７３で執筆者端末２からの文書ファイルが書籍情報や他の成果物と共に格納される。そしてこの場合には、数式や化学式等もＥＰＳ画像で添付されているので、ステップＳ７４でのプレビューはそのまま行われることになる。なお、上述の任意の数式や化学式の作成のソフトウェアにより作成される数式や化学式等は、必要に応じて印刷所端末３においても修正編集が可能なものである。
【００６９】
これに対して、図７のＢにおいて、処理を印刷所負担で行う場合には、まず執筆者端末２のステップＳ８０でＸＭＬエディタにより数式や化学式等が入力操作される。次にステップＳ８１で任意の数式や化学式の作成のソフトウェアにより数式や化学式等が作成される。そしてこの場合には、作成された数式や化学式等は文書ファイルに自動貼り付けされてサーバ４に送信される。
【００７０】
さらにサーバ４では、ステップＳ８２で執筆者端末２からの文書ファイルが書籍情報や他の成果物と共に格納される。そして、印刷所端末３のステップＳ８３で文書ファイル中の数式や化学式等のＥＰＳへの差し換え操作が行われる。すなわち、ステップＳ８４が呼び出されて上述の任意の数式や化学式の作成のソフトウェアにより数式や化学式等が作成され、ステップＳ８５で手動により一旦ＥＰＳ画像ファイルに変換される。
【００７１】
そしてこの変換されたＥＰＳ画像が、サーバ４に格納された文書に貼り付けられる。さらにこのＥＰＳ画像の貼り付けられた文書について、ステップＳ８６でプレビューが行われる。このようにしてプレビューが行われることになるが、この図７のＢの手順の場合には、印刷所でＥＰＳ画像が生成されるまでは、プレビューに数式等に相当する文字列は反映されないことになる。
【００７２】
このようにして、数式に相当する文字列が、上述の指定の数式等の作成ソフトウェア以外の手段で作成された場合の処理が行われる。なお、図７のＡ及びＢに示されるいずれの手順においても、上述のソフトウェアで作成される数式や化学式等のＥＰＳ画像はベクトルデータとなるので、これらはそのまま本番の印刷においても使用可能なものである。
【００７３】
こうして上述の出版支援システム、出版支援プログラム及び出版支援サーバによれば、執筆者から出版社、印刷所までを一貫して扱うシステムを構築できると共に、執筆者が原稿を執筆する際に使用する外字や数式に相当する文字列に対する処理を良好にし、出版業務が円滑に行われるようにすることができるものである。
【００７４】
なお、上述の実施形態において、出版社端末１、執筆者端末２、印刷所端末３及びサーバ４との間には、何らかのセキュリティ手段を設けて、送信される文書ファイルの内容等が外部に漏れないようにすることが可能である。また、複数の執筆者による場合には、その執筆者ごとに上述のシステムを構築する必要があるが、その場合に、出版社端末１、印刷所端末３及びサーバ４は共通とすることができる。
【００７５】
さらに本発明は、上述の説明した実施形態に限定されるものではなく、本発明の精神を逸脱することなく種々の変形が可能とされるものである。
【図面の簡単な説明】
【００７６】
【図１】本発明による出版支援システム、出版支援プログラム及び出版支援サーバを適用したコンピュータシステムの一実施形態を示す構成図である。
【図２】その全体の動作の説明のためのフローチャート図である。
【図３】その要部の動作の説明のためのフローチャート図である。
【図４】その要部の動作の説明のためのフローチャート図である。
【図５】その要部の動作の説明のためのフローチャート図である。
【図６】その要部の動作の説明のためのフローチャート図である。
【図７】その要部の動作の説明のためのフローチャート図である。
【符号の説明】
【００７７】
１…出版社端末、２…執筆者端末、３…印刷所端末、４…サーバ、５…ネットワーク、６…外字データベース、１１…出版編集システム、１２…写真や図版、２１…エディタ、２２…外字情報を得るソフトウェア、２３…数式に相当する文字列を作成するソフトウェア、２４…文書情報、２５…通信機能のソフトウェア、２６…表図面作成のソフトウェア、２７…添付ファイル、２８…執筆完了の報告の入力手段、３１…スタイルシート及びテンプレート、３２…スキャナ、３３…イメージファイル、４１…書籍情報、４２…組版イメージ、４３…組版イメージを作成するソフトウェア、４４…ＰＤＦファイル、４５…変換するソフトウェア
【図１】
2006031120.tif 000003
【図２】
2006031120.tif 000004
【図３】
2006031120.tif 000005
【図４】
2006031120.tif 000006
【図５】
2006031120.tif 000007
【図６】
2006031120.tif 000008
【図７】
2006031120.tif 000009